(57)【要約】【課題】自分に似合う衣装や小物の検討を十分に行い、非日常的な衣装等に対するバーチャル試着を行い、潜在顧客層への販促プロモーション等を実行する。【解決手段】ネットワーク７０により、Ｗｅｂサーバ１０、システム管理者端末２０、Ａ店舗端末３０、Ｂ店舗端末４０、会員ユーザ端末５０、一般ユーザ端末６０を相互に接続し、Ｗｅｂサーバ１０に衣装及び小物の試着をユーザの顔の画像を用いて支援するための店舗管理機能部１００、会員ユーザ管理機能部２００、一般ユーザ管理機能部３００を有する機能を搭載し、店舗管理機能部１００により、店舗の情報をデータベース１１に登録して管理し、会員ユーザ管理機能部２００により、会員ユーザの情報をデータベース１１に登録して管理し、一般ユーザ管理機能部３００により、一般ユーザの情報をデータベース１１に登録して管理することができるようする。【選択図】    図１
2004341957.tif 000002
【特許請求の範囲】
【請求項１】
衣装及び小物の試着をユーザの顔の画像を用いて支援するための音声やベクターグラフィックスのアニメーションを組み合わせてＷｅｂコンテンツを作成するソフトやそのソフトによって作成されたコンテンツをエンジンとするシステム機能が搭載されているＷｅｂサーバと、
前記Ｗｅｂサーバに接続され、店舗データ、会員データ、前記衣装及び小物の試着を支援するための機能をＣＧＩプログラムにより実行させるための基本システムが登録されるデータベースと、
Ｗｅｂページを管理し、通信機能、表示機能、情報入力機能を有し、さらにＷｅｂページで前記Ｗｅｂサーバ内の情報を閲覧するためのＷｅｂブラウザと専用のプラグインとがインストールされているシステム管理者端末と、
通信機能、表示機能、情報入力機能を有し、前記サーバ内の情報をＷｅｂページで閲覧するためのＷｅｂブラウザと専用のプラグインとがインストールされている複数の店舗端末と、
通信機能、表示機能、情報入力機能を有し、前記サーバ内の情報をＷｅｂページで閲覧するためのＷｅｂブラウザと専用のプラグインとがインストールされている複数のユーザ端末と、
前記Ｗｅｂサーバ、システム管理者端末、店舗端末、ユーザ端末を相互に接続するネットワークとを備え、
前記衣装及び小物の試着を支援するための機能は、
店舗の情報を前記データベースに登録して管理する機能を有している店舗管理機能部と、
会員ユーザの情報を前記データベースに登録して管理する機能を有している会員ユーザ管理機能部と、
一般ユーザの情報を前記データベースに登録して管理する機能を有している一般ユーザ管理機能部とを有する
ことを特徴とする衣装及び小物の試着支援システム。
【請求項２】
前記店舗管理機能部は、店舗名、所在地、連絡先、衣装及び小物のカタログ属性詳細データ、新着情報、会員データ、メルマガ申し込み、相談受付、アクセス解析、商品分析を、前記店舗の情報として管理する機能を有し、
前記会員ユーザ管理機能部は、会員名、ユーザＩＤ、パスワード、マイページ登録、バーチャル試着、相談申し込み、電子レター、フォーム問い合わせを、前記会員ユーザの情報として管理する機能を有し、
前記一般ユーザ管理機能部は、衣装及び小物のサーチ、カタログ閲覧、フォーム問い合わせを、前記一般ユーザの情報として管理する機能を有する
ことを特徴とする請求項１に記載の衣装及び小物の試着支援システム。
【請求項３】
前記会員ユーザ管理機能部は、前記会員ユーザからの顔の画像を受け付け、前記会員ユーザの顔の画像を用いて前記衣装及び小物のバーチャル試着を実行する機能を有していることを特徴とする請求項１又は２に記載の衣装及び小物の試着支援システム。
【請求項４】
前記会員ユーザ管理機能部は、前記衣装及び小物のバーチャル試着を実行した後、前記バーチャル試着の結果画像ＳＷＦを前記会員ユーザのマイページに登録し、試着予約申込受付けを実行する機能を有していることを特徴とする請求項１〜３のいずれかに記載の衣装及び小物の試着支援システム。
【請求項５】
衣装及び小物の試着をユーザの顔の画像を用いて支援するための音声やベクターグラフィックスのアニメーションを組み合わせてＷｅｂコンテンツを作成するソフトやそのソフトによって作成されたコンテンツをエンジンとするシステム機能が搭載されているＷｅｂサーバと、
前記Ｗｅｂサーバに接続され、店舗データ、会員データ、前記衣装及び小物の試着を支援するための機能をＣＧＩプログラムにより実行させるための基本システムが登録されるデータベースと、
Ｗｅｂページを管理し、通信機能、表示機能、情報入力機能を有し、さらにＷｅｂページで前記Ｗｅｂサーバ内の情報を閲覧するためのＷｅｂブラウザと専用のプラグインとがインストールされているシステム管理者端末と、
通信機能、表示機能、情報入力機能を有し、前記サーバ内の情報をＷｅｂページで閲覧するためのＷｅｂブラウザと専用のプラグインとがインストールされている複数の店舗端末と、
通信機能、表示機能、情報入力機能を有し、前記サーバ内の情報をＷｅｂページで閲覧するためのＷｅｂブラウザと専用のプラグインとがインストールされている複数のユーザ端末と、
前記Ｗｅｂサーバ、システム管理者端末、店舗端末、ユーザ端末を相互に接続するネットワークとを備え、
前記衣装及び小物の試着を支援するための機能は、
店舗管理機能部により、店舗の情報を前記データベースに登録して管理する工程と、
会員ユーザ管理機能部により、会員ユーザの情報を前記データベースに登録して管理する工程と、
一般ユーザ管理機能部により、一般ユーザの情報を前記データベースに登録して管理する工程とを有する
ことを特徴とする衣装及び小物の試着支援方法。
【請求項６】
前記店舗管理機能部は、店舗名、所在地、連絡先、衣装及び小物のカタログ属性詳細データ、新着情報、会員データ、メルマガ申し込み、相談受付、アクセス解析、商品分析を、前記店舗の情報として管理する工程を有し、
前記会員ユーザ管理機能部は、会員名、ユーザＩＤ、パスワード、マイページ登録、バーチャル試着、相談申し込み、電子レター、フォーム問い合わせを、前記会員ユーザの情報として管理する工程を有し、
前記一般ユーザ管理機能部は、衣装及び小物のサーチ、カタログ閲覧、フォーム問い合わせを、前記一般ユーザの情報として管理する工程を有する
ことを特徴とする請求項５に記載の衣装及び小物の試着支援方法。
【請求項７】
前記会員ユーザ管理機能部は、前記会員ユーザからの顔の画像を受け付け、前記会員ユーザの顔の画像を用いて前記衣装及び小物のバーチャル試着を実行する工程を有していることを特徴とする請求項５又は６に記載の衣装及び小物の試着支援方法。
【請求項８】
前記会員ユーザ管理機能部は、前記衣装及び小物のバーチャル試着を実行した後、前記バーチャル試着の結果画像ＳＷＦを前記会員ユーザのマイページに登録し、試着予約申込受付けを実行する工程を有していることを特徴とする請求項５〜７のいずれかに記載の衣装及び小物の試着支援方法。
【発明の詳細な説明】
【０００１】
【発明の属する技術分野】
本発明は、Ｗｅｂサイトアプリケーションによるバーチャルシミュレーションを用い、衣装及び小物をユーザ自身の“顔”でバーチャル試着する衣装及び小物の試着支援システムに関する。ここで、衣装は、ウェディングドレス、メンズブライダル衣装、成人式衣装、七五三衣装、パーティーゲストドレス、シニア用和装関連、子供ブランド服、子供用玩具仮装キット衣装、女性／男性ファツション雑誌掲載衣装等である。また、小物は、アクセサリー、ドレス小物等である。また、衣装及び小物は、髪型とのコーディネートも可能である。
【０００２】
【従来の技術】
たとえば婚礼ビジネスにおける衣装事業者と挙式者との間において、次のような問題がある。
まず、挙式者が複数の衣装事業者の店舗に出向き、担当者とのヒアリングや衣装の選別と試着とを行う必要があるために、多大な時間と労力とを伴う。ちなみに、衣装事業者の店舗の選択は平均４店舗以上であり、同一店舗当たり３回以上の来店を要している。また、近親者と共に、挙式者が等身大のイメージで気軽に衣装を事前に検討できるフォローアップ体制の充実が不足しているばかりか、非日常的な衣装に対する、来店前の有効な個別コンサルティングの提供も不足している。しかも、潜在顧客層（具体的挙式予定のない女性）への実質的販促プロモーションやテストマーケティングのシステムの構築が図れていない。
ちなみに、特許文献１では、帽子、サングラス、衣服、肌着、靴、アクセサリー、貴金属、時計、鞄又はバッグを少なくとも含むファッション商品の購入に好適な購入システムを提案している。
これは、インターネットを利用してファッション関連商品を購入するに際し、予め登録された購入者の身体３次元データを用いてコンピュータ上で購入希望商品を仮想的に試着し、趣向、サイズが購入者の希望と一致しているとき、そのデータをファッションアドバイザに送付し、そのアドバイザの評価を参考にして、購入者が、希望するファッション商品を購入するように構成したものである。
【０００３】
【特許文献１】
特開２００３−１２２９６７
【０００４】
【発明が解決しようとする課題】
ところが、上述した特許文献１では、ユーザが自分の顔の画像を用いてバーチャル試着を行うことができないため、衣装事業者の店舗に出向く前に、自分に似合う衣装や小物の検討を十分に行うことができない。
また、特許文献１では、日常的なファッション関連商品のバーチャル試着が可能であるが、ウェディングドレス、メンズブライダル衣装、成人式衣装、七五三衣装、パーティーゲストドレス、シニア用和装関連、子供ブランド服、子供用玩具仮装キット衣装、女性／男性ファツション雑誌掲載衣装等の非日常的な衣装や小物に対するバーチャル試着を行うことができないばかりか、潜在顧客層（具体的挙式予定のない女性）への実質的販促プロモーションやテストマーケティングを実行することも不可能である。
本発明は、このような状況に鑑みてなされたものであり、衣装事業者の店舗に出向く前に、自分に似合う衣装や小物の検討を十分に行うことができ、しかも非日常的な衣装や小物に対するバーチャル試着を行うことができ、併せて潜在顧客層（具体的挙式予定のない女性）への実質的販促プロモーションやテストマーケティングを実行することができる衣装及び小物の試着支援システムを提供することができるようにするものである。
【０００５】
【課題を解決するための手段】
本発明の衣装及び小物の試着支援システムは、衣装及び小物の試着をユーザの顔の画像を用いて支援するための音声やベクターグラフィックスのアニメーションを組み合わせてＷｅｂコンテンツを作成するソフトやそのソフトによって作成されたコンテンツをエンジンとするシステム機能が搭載されているＷｅｂサーバと、Ｗｅｂサーバに接続され、店舗データ、会員データ、衣装及び小物の試着を支援するための機能をＣＧＩプログラムにより実行させるための基本システムが登録されるデータベースと、Ｗｅｂページを管理し、通信機能、表示機能、情報入力機能を有し、さらにＷｅｂページでＷｅｂサーバ内の情報を閲覧するためのＷｅｂブラウザと専用のプラグインとがインストールされているシステム管理者端末と、通信機能、表示機能、情報入力機能を有し、サーバ内の情報をＷｅｂページで閲覧するためのＷｅｂブラウザと専用のプラグインとがインストールされている複数の店舗端末と、通信機能、表示機能、情報入力機能を有し、サーバ内の情報をＷｅｂページで閲覧するためのＷｅｂブラウザと専用のプラグインとがインストールされている複数のユーザ端末と、Ｗｅｂサーバ、システム管理者端末、店舗端末、ユーザ端末を相互に接続するネットワークとを備え、衣装及び小物の試着を支援するための機能は、店舗の情報をデータベースに登録して管理する機能を有している店舗管理機能部と、会員ユーザの情報をデータベースに登録して管理する機能を有している会員ユーザ管理機能部と、一般ユーザの情報をデータベースに登録して管理する機能を有している一般ユーザ管理機能部とを有することを特徴とする。
また、店舗管理機能部は、店舗名、所在地、連絡先、衣装及び小物のカタログ属性詳細データ、新着情報、会員データ、メルマガ申し込み、相談受付、アクセス解析、商品分析を、店舗の情報として管理する機能を有し、会員ユーザ管理機能部は、会員名、ユーザＩＤ、パスワード、マイページ登録、バーチャル試着、相談申し込み、電子レター、フォーム問い合わせを、会員ユーザの情報として管理する機能を有し、一般ユーザ管理機能部は、衣装及び小物のサーチ、カタログ閲覧、フォーム問い合わせを、一般ユーザの情報として管理する機能を有するようにすることができる。
また、会員ユーザ管理機能部は、会員ユーザからの顔の画像を受け付け、会員ユーザの顔の画像を用いて衣装及び小物のバーチャル試着を実行する機能を有しているようにすることができる。
また、会員ユーザ管理機能部は、衣装及び小物のバーチャル試着を実行した後、バーチャル試着の結果画像ＳＷＦを会員ユーザのマイページに登録し、試着予約申込受付けを実行する機能を有しているようにすることができる。
本発明の衣装及び小物の試着支援方法は、衣装及び小物の試着をユーザの顔の画像を用いて支援するための音声やベクターグラフィックスのアニメーションを組み合わせてＷｅｂコンテンツを作成するソフトやそのソフトによって作成されたコンテンツをエンジンとするシステム機能が搭載されているＷｅｂサーバと、Ｗｅｂサーバに接続され、店舗データ、会員データ、衣装及び小物の試着を支援するための機能をＣＧＩプログラムにより実行させるための基本システムが登録されるデータベースと、Ｗｅｂページを管理し、通信機能、表示機能、情報入力機能を有し、さらにＷｅｂページでＷｅｂサーバ内の情報を閲覧するためのＷｅｂブラウザと専用のプラグインとがインストールされているシステム管理者端末と、通信機能、表示機能、情報入力機能を有し、サーバ内の情報をＷｅｂページで閲覧するためのＷｅｂブラウザと専用のプラグインとがインストールされている複数の店舗端末と、通信機能、表示機能、情報入力機能を有し、サーバ内の情報をＷｅｂページで閲覧するためのＷｅｂブラウザと専用のプラグインとがインストールされている複数のユーザ端末と、Ｗｅｂサーバ、システム管理者端末、店舗端末、ユーザ端末を相互に接続するネットワークとを備え、衣装及び小物の試着を支援するための機能は、店舗管理機能部により、店舗の情報をデータベースに登録して管理する工程と、会員ユーザ管理機能部により、会員ユーザの情報をデータベースに登録して管理する工程と、一般ユーザ管理機能部により、一般ユーザの情報をデータベースに登録して管理する工程とを有することを特徴とする。
また、店舗管理機能部は、店舗名、所在地、連絡先、衣装及び小物のカタログ属性詳細データ、新着情報、会員データ、メルマガ申し込み、相談受付、アクセス解析、商品分析を、店舗の情報として管理する工程を有し、
会員ユーザ管理機能部は、会員名、ユーザＩＤ、パスワード、マイページ登録、バーチャル試着、相談申し込み、電子レター、フォーム問い合わせを、会員ユーザの情報として管理する工程を有し、一般ユーザ管理機能部は、衣装及び小物のサーチ、カタログ閲覧、フォーム問い合わせを、一般ユーザの情報として管理する工程を有するようにすることができる。
また、会員ユーザ管理機能部は、会員ユーザからの顔の画像を受け付け、会員ユーザの顔の画像を用いて衣装及び小物のバーチャル試着を実行する工程を有しているようにすることができる。
また、会員ユーザ管理機能部は、衣装及び小物のバーチャル試着を実行した後、バーチャル試着の結果画像ＳＷＦを会員ユーザのマイページに登録し、試着予約申込受付けを実行する工程を有しているようにすることができる。
本発明に係る衣装及び小物の試着支援システムにおいては、ネットワークにより、Ｗｅｂサーバ、システム管理者端末、店舗端末、ユーザ端末を相互に接続し、Ｗｅｂサーバに衣装及び小物の試着をユーザの顔の画像を用いて支援するための店舗管理機能部、会員ユーザ管理機能部、一般ユーザ管理機能部を有する機能を搭載し、店舗管理機能部により、店舗の情報をデータベースに登録して管理し、会員ユーザ管理機能部により、会員ユーザの情報をデータベースに登録して管理し、一般ユーザ管理機能部により、一般ユーザの情報をデータベースに登録して管理することができる。
また、本発明は、本出願者がアプリケーションサービスプロバイダーとして、Ｗｅｂサーバを介し複数の衣装事業者にサービス提供することをシステム設計の基本としている。すなわち、個々の衣装事業者が前述の機能全てを有するＷｅｂアプリケーションを自社開発するためのノウハウの有無やコスト面の問題を解決し、複数の衣装事業者が廉価な初期投資と使用料ですぐに使える本業を支えるインフラツールをパッケージ製品としたものである。これは、利用導入時からシステム及び、ビジュアル面で汎用性のあるインターフェースとＷｅｂサーバに格納する個々の事業者が持つ全ての保有データに対して、衣装事業者毎の自由なカスタマイズ設定を可能とするサービスアプリケーションであることと、アプリケーションのバージョンアップもサーバサイドで容易に可能であることが従来にない特徴であり、衣装事業者のジャンルを問わず本アプリケーションの利用普及を目指すものである。
また、衣装事業者とユーザ間のＷｅｂ上における、双方向的なアプローチを実現する目的から構想した本発明は上記解決課題を克服し、ユーザが簡単に操作できるＦｌａｓｈコンテンツのユーザビリティと楽しみながらバーチャルな購買検討ができるエンターティメント性が高いことから、利用衣装事業者がＷｅｂ上で全国規模のバーチャル販促ツールとして、新しい購買／商取引の形態と機会の拡大を確立するものである。
【０００６】
【発明の実施の形態】
以下、本発明の実施の形態について説明する。
図１は、本発明の衣装及び小物の試着支援システムに一実施の形態を示す図、図２〜図５は、図１の衣装及び小物の試着支援システムの動作を説明するための図である。
図１に示す衣装及び小物の試着支援システムは、Ｗｅｂサーバ１０、システム管理者端末２０、Ａ店舗端末３０、Ｂ店舗端末４０、会員ユーザ端末５０、一般ユーザ端末６０を備え、これらはネットワーク７０を介して相互に通信できるようになっている。ここで、ネットワーク７０としては、インターネット、専用回線等を用いることができる。
【０００７】
Ｗｅｂサーバ１０は、専有サーバであって、システム管理者端末２０によって管理されるものであり、個人情報を保護する目的でファイヤーウォールとデータを暗号化するＳＳＬ機能を搭載している。また、Ｗｅｂサーバ１０には、衣装及び小物の試着をユーザの顔の画像を用いて支援するための音声やベクターグラフィックスのアニメーションを組み合わせてＷｅｂコンテンツを作成するソフトやそのソフトによって作成されたコンテンツをエンジンとするシステム機能が搭載されている。ここで、音声やベクターグラフィックスのアニメーションを組み合わせてＷｅｂコンテンツを作成するソフトやそのソフトによって作成されたコンテンツとしては、Ｍａｃｒｏｍｅｄｉａ社の「ＦＬＡＳＨ」を用いることができる。
なお、Ｍａｃｒｏｍｅｄｉａ社の「ＦＬＡＳＨ」によって作られたファイルを閲覧するには、Ｗｅｂブラウザに専用のプラグインである「Ｆｌａｓｈ  Ｐｌａｙｅｒ」をインストールしておく必要がある。このプラグインは、低速度回線であっても、アニメーションツールとして実用に耐え得る機能を有している。
また、Ｗｅｂサーバ１０のシステム機能として、店舗管理機能部１００、会員ユーザ管理機能部２００、一般ユーザ管理機能部３００を備えている。
【０００８】
店舗管理機能部１００は、衣装事業者側のＡ店舗、Ｂ店舗の情報をデータベース１１に登録して管理する機能を有している。Ａ店舗、Ｂ店舗の情報としては、店舗名、所在地、連絡先、衣装及び小物のカタログ属性詳細データ、新着情報、会員データ、メルマガ申し込み、相談受付、アクセス解析、商品分析等である。
ここで、店舗管理機能部１００による商品分析は、後述のショールームにてユーザが検索する検索項目値の履歴を検索過程毎に抽出することであり、これによりユーザの自社商品に対する嗜好の分析が可能となる。また、店舗管理機能部１００による商品分析は、検索により抽出される掲載在庫商品に対するユーザ任意の選択結果、及びバーチャル試着した上での個人の後述のマイページへのスクラップ結果を、その商品番号／総数にて取得することであり、これにより自社商品のテストマーケティングが有効に実施・分析することができる。また、後述のアクセスログ及び商品分析は、日毎のデータ蓄積を行うため、Ｗｅｂ上でのキャンペーン実施や、メルマガ配信時、掲載在庫衣装の更新時などに合わせて、指定日〜指定日及び、指定月の表示で、詳細に分析が可能であり、有益なマーケティング情報を得ることであり、これにより自社商品とプロモーション活動に対するマーケティングが有効に実施・分析することができる。
【０００９】
会員ユーザ管理機能部２００は、会員ユーザの情報をデータベース１１に登録して管理する機能を有している。会員ユーザの情報としては、会員名、ユーザＩＤ、パスワード、マイページ登録、バーチャル試着、相談申し込み、電子レター、フォーム問い合わせ等である。
一般ユーザ管理機能部３００は、一般ユーザの情報をデータベース１１に登録して管理する機能を有している。一般ユーザの情報としては、衣装及び小物のサーチ、カタログ閲覧、フォーム問い合わせ等である。
また、Ｗｅｂサーバ１０には、店舗管理機能部１００及び会員ユーザ管理機能部２００による店舗データ及び会員データと、衣装及び小物の試着支援システムの動作に必要なプログラムである基本システムとが格納されるデータベース１１が接続されている。基本システムは、ＣＧＩプログラムによって動作する機能を有している。
【００１０】
システム管理者端末２０は、通信機能、表示機能、情報入力機能を有している。システム管理者端末２０には、ＷｅｂページでＷｅｂサーバ１０内の情報を閲覧するためのＷｅｂブラウザとＭａｃｒｏｍｅｄｉａ社の「ＦＬＡＳＨ」のプラグインとがインストールされている。ここで、Ｗｅｂブラウザとしては、Ｍｉｃｒｏｓｏｆｔ社のＩｎｔｅｒｎｅｔ  Ｅｘｐｌｏｒｅｒ、Ｎｅｔｓｃａｐｅ  Ｃｏｍｍｕｎｉｃａｔｉｏｎｓ社のＮｅｔｓｃａｐｅ  Ｃｏｍｍｕｎｉｃａｔｏｒ（Ｎａｖｉｇａｔｏｒ）、Ｏｐｅｒａ  Ｓｏｆｔｗａｒｅ社のＯｐｅｒａ等を用いることができる。
Ａ店舗端末３０は、通信機能、表示機能、情報入力機能を有している。Ａ店舗端末３０には、上述したＷｅｂブラウザとＭａｃｒｏｍｅｄｉａ社「ＦＬＡＳＨ」のプラグインとがインストールされている。Ｂ店舗端末４０は、通信機能、表示機能、情報入力機能を有している。Ｂ店舗端末４０には、上述したＷｅｂブラウザとＭａｃｒｏｍｅｄｉａ社「ＦＬＡＳＨ」のプラグインがインストールされている。会員ユーザ端末５０は、通信機能、表示機能、情報入力機能を有している。会員ユーザ端末５０には、上述したＷｅｂブラウザとＭａｃｒｏｍｅｄｉａ社「ＦＬＡＳＨ」のプラグインがインストールされている。一般ユーザ端末６０は、通信機能、表示機能、情報入力機能を有している。一般ユーザ端末６０には、上述したＷｅｂブラウザとＭａｃｒｏｍｅｄｉａ社「ＦＬＡＳＨ」のプラグインがインストールされている。
なお、システム管理者端末２０、Ａ店舗端末３０、Ｂ店舗端末４０、会員ユーザ端末５０、一般ユーザ端末６０にあっては、ディスクトップパソコン、ノートパソコン、ＰＤＡ、携帯電話等の通信端末を用いることができる。
【００１１】
次に、衣装及び小物の試着支援システムの動作について説明する。
なお、以下の説明において、Ａ店舗はカタログラインナップのみ使用する店舗とし、Ｂ店舗はカタログラインナップとぴったりサーチを使用する店舗とする。ぴったりサーチとは、複数の検索条件によってサーチできることを意味する。
まず、図２に示すように、会員ユーザ及び一般ユーザが会員ユーザ端末５０及び一般ユーザ端末６０を用いて任意のホームページの広告媒体、契約ページ、結婚総合情報誌等のホームページからアクセスすると、それぞれのカウントにより、アクセスログが作成された後、システム管理者が保有するトップページに移行することができる（ステップＳ１）。ここで、作成されたアクセスログは、ユーザのデータ取得として用いることができる。
【００１２】
また、トップページには、「会員登録・編集」、「お問合せ」、「ＨＯＴ  ＴＯＰＩＣＳ」、「会員ログイン」、「マイページガイド」、「マイページ」の項目と、Ａ店舗用のリンク及びＢ店舗用のリンクが設けられている。
ここで、「会員登録・編集」の項目をクリックすると、会員ログイン画面に移行する（ステップＳ１７）。ここでは、会員登録情報編集と会員登録とを行うことができる。会員登録情報編集の場合には、後述の（ステップＳ２５）へ移行し、会員登録の場合には、後述の（ステップＳ１７，１８）へ移行する。
「お問合せ」をクリックすると、後述の（ステップＳ３１）へ移行する。「ＨＯＴ  ＴＯＰＩＣＳ  」をクリックすると、後述の（ステップＳ３０）へ移行する。「会員ログイン」をクリックすると、後述の（ステップＳ１６）へ移行する。「マイページガイド」をクリックすると、マイページガイドへ移行する（ステップＳ２）。
【００１３】
「マイページ」をクリックすると、ログインチェックが行われる。ここでは、ユーザＩＤやパスワードのチェックが行われる。ユーザＩＤやパスワードのチェックが一致しなかった場合、会員ログインを経て後述の（ステップＳ２１）へ移行する。ユーザＩＤやパスワードのチェックが一致した場合、後述の（ステップＳ２１）へ移行する。
Ａ店舗用のリンクでは、Ａ・Ｂ店舗用のショールーム１Ａ（衣装タイプ１）の画面に移行する（ステップＳ９）。ここでは、ショールーム６にて様々な衣装タイプからお気に入りをチェックできるページに移行することができる（ステップＳ１０）。
【００１４】
Ｂ店舗用のリンクでは、ショールーム０（探し方メニュー）の画面に移行する（ステップＳ３）。ここでは、「カタログラインナップ」と「ぴったりサーチ」の項目があり、「カタログラインナップ」をクリックすると、（ステップＳ９）のショールーム１Ａ（衣装タイプ１）の画面に移行し、「ぴったりサーチ」をクリックすると、Ｂ店舗用のショールーム１Ｂ（衣装タイプ２）の画面に移行する（ステップＳ４）。ここでは、たとえば衣装タイプがドレスの場合と和装の場合とに分かれる。衣装タイプがドレスの場合は、ショールーム２〜４のシルエット、カバーポイント、なりたいイメージをそれぞれ選択することができ（ステップＳ５Ａ〜７Ａ）、最後にショールーム５にて絞り込み結果が表示される（ステップＳ８Ａ）。衣装タイプが和装の場合、シルエット、なりたいイメージをそれぞれ選択することができ（ステップＳ５Ｂ，７Ｂ）、最後に絞り込み結果が表示される（ステップＳ８Ｂ）。
【００１５】
次に、図３に示すように、ショールーム７（マイセレクト）の画面に移行する（ステップＳ１１）。ここでは、「あなたのお顔で試着」と「モデルの顔で試着」の項目が設けられている。「あなたのお顔で試着」をクリックすると、上述したユーザＩＤ及びパスワードによるログインチェックが行われ（ステップＳ１２）、その後、試着室１にて写真合成が行われ、試着室２に移行する（ステップＳ１３Ｂ）。また、（ステップＳ１２）にて、ログインしていないユーザに対しては、ログイン画面が表示される（ステップＳ１６）。ここでは、「会員ログイン」、「ＨＥＬＰ」、「会員登録」の項目が設けられている。「会員ログイン」をクリックすると、試着室２に移行する（ステップＳ１３Ｂ）。試着室２では、和装専用及びドレス専用の髪型選びを行うことができる。
【００１６】
「ＨＥＬＰ」をクリックすると、後述の（ステップＳ２０）へ移行する。「会員登録」をクリックすると、会員規約及び会員登録の画面を経て（ステップＳ１８Ａ，１８Ｂ）、（ステップＳ１３Ｂ）に移行する。（ステップＳ１３Ｂ）にて髪型を選択すると、アクセサリーを選択する試着室３に移行する（ステップＳ１４Ｂ，１４Ａ）。ここでは、和装専用とドレス専用がある。和装専用では、「角かくし」、「髪飾り」、「アクセサリー」の項目が設けられている。ドレス専用では、「ヘッドフラワー」、「テイアラ・カチューシャ」、「ブーケ」の項目が設けられている。和装専用とドレス専用のそれぞれの項目をクリックすると、シミュレーション結果を表示する試着室４に移行する（ステップＳ１５）。ここでは、「他の衣装を選ぶ」、「マイページにスクラップする」の項目が設けられている。そして、「他の衣装を選ぶ」又は「マイページにスクラップする」をクリックすると、（ステップＳ１１）に移行し、再度試着する衣装を選び、髪型やアクセサリーの選択を行うことができる。なお、シミュレーション画像をスクラップした後は、図４に移行する。
【００１７】
図４では、「ＨＥＬＰ」の項目を有する会員ログイン画面が表示される（ステップＳ１９）。「ＨＥＬＰ」の項目をクリックすると、パスワード再発行が行われる（ステップＳ２０）。また、会員ログイン画面からは、カウントにより、アクセスログが作成された後、マイページＴＯＰに移行する（ステップＳ２１）。マイページＴＯＰには、「あなたのスクラップＢＯＯＫ」の項目があり、その項目をクリックすると、スクラップした複数のＳＷＦ画像を見ることができる。
また、マイページ２Ａの試着予約申込の画面に移行し（ステップＳ２２）、さらにその画面から、マイページ２Ｂの試着予約申込とマイページ２Ｃの申込内容確認の画面に移行し（ステップＳ２３，２４）、マイページ３の申込内容表示画面に移行する（ステップＳ２５）。申込内容表示画面では、あなたの試着予約情報がリクエスト内容と試着を希望する衣装の登録ＳＷＦ画像共に表示される。なお、（ステップＳ２４）の申込内容確認の画面では、（ステップＳ２２，２３，２６）に戻って、登録内容を変更することができる。
【００１８】
また、マイページ４でも、会員登録内容の変更を行うことができる（ステップＳ２６）。また、マイページ５Ａでは、ｅレター配信機能を有し、スクラップされた登録ＳＷＦ画像を選択して自身の花嫁姿付きのグリーティング・カードを作成し、任意の第３者に向けて送ることができる（ステップＳ２７）。ここでは、マイページ５Ｂのテンプレート選択／記入画面と、マイページ５Ｃの内容確認／送信の画面に移行することができる（ステップＳ２８，２９）。
また、一般１のＨＯＴ  ＴＯＰＩＣＳの画面と、一般２Ａのお問合せメニューページの画面に移行することができる（ステップＳ３０，３１）。お問合せメニューページでは、一般２Ｂの店舗用お問合せフォームと、一般２Ｃのお問合せフォームに移行することができる（ステップＳ３２，３３）。
なお、（ステップＳ１７）、（ステップＳ１２）、（ステップＳ１９）のいずれかにてログインが完了していれば、ショールームトップページ（ＳＷＦ）と会員マイページ（ＨＴＭＬ）間をログインデータを保持したまま往来することができるため、ユーザの個人認証入力負担（ＩＤ／パスワード入力）は最小限にとどめることができる。
【００１９】
次に、図５により、管理メニューページについて説明する。
まず、管理メニューページには、初期設定メニュー（ステップＳ３４）、カタログメニュー（ステップＳ４０）、ユーザーページメニュー（ステップＳ４６）、広告メニュー（ステップＳ５２）、会員データメニュー（ステップＳ５８）、試着予約／問合せメニュー（ステップＳ６３）、商品／アクセスカウント分析メニュー（ステップＳ７０）の項目が設けられている。
初期設定メニュー（ステップＳ３４）では、店舗属性設定、衣装属性設定、検索属性の設定１〜３を行うことができる（ステップＳ３５〜３９）。
【００２０】
カタログメニュー（ステップＳ４０）では、登録衣装一覧、登録衣装の検索、登録衣装詳細、登録衣装の変更、新規登録衣装を行うことができる（ステップＳ４１〜４５）。ユーザーページメニュー（ステップＳ４６）では、営業日テキスト表示、予約申込テキスト表示、Ｃｌｏｓｅ  Ｕｐ表示設定、その他を行うことができる（ステップＳ４７〜５１）。なお、（ステップＳ５０，５１）は、任意に表示等の機能を追加できるステップである。
広告メニュー（ステップＳ５２）では、ＨＯＴ  ＴＯＰＩＣＳ作成、有効会員に対するＤＭ発送リスト抽出、メルマガ作成、メルマガ配信設定を行うことができる（ステップＳ５３，５５〜５７）。会員データメニュー（ステップＳ５８）では、会員データ一覧、会員データ詳細、会員データ検索、会員データ検索結果一覧を行うことができる（ステップＳ５９〜６２）。
試着予約／問合せメニュー（ステップＳ６３）では、試着予約申込一覧、試着予約詳細、日程ＦＩＸ／内容変更、日程ＦＩＸ一覧、来店終了一覧、キャンセル一覧を行うことができる（ステップＳ６４〜６９）。商品／アクセスカウント分析メニュー（ステップＳ７０）では、商品分析、アクセスカウント表示、会員属性解析を行うことができる（ステップＳ７１〜７３）。
【００２１】
このように、本実施の形態では、ネットワーク７０により、Ｗｅｂサーバ１０、システム管理者端末２０、Ａ店舗端末３０、Ｂ店舗端末４０、会員ユーザ端末５０、一般ユーザ端末６０を相互に接続し、Ｗｅｂサーバ１０に衣装及び小物の試着をユーザの顔の画像を用いて支援するための店舗管理機能部１００、会員ユーザ管理機能部２００、一般ユーザ管理機能部３００を有する機能を搭載し、店舗管理機能部１００により、店舗の情報をデータベース１１に登録して管理し、会員ユーザ管理機能部２００により、会員ユーザの情報をデータベース１１に登録して管理し、一般ユーザ管理機能部３００により、一般ユーザの情報をデータベース１１に登録して管理することができるようにした。
【００２２】
これにより、図２に示したように、ユーザがお目当ての店舗のバーチャルショールームに、ネットワーク７０を介してアクセスすることにより、自宅にいながらにして非日常的なたとえば「婚礼衣装」を素早く検索して見つけ出すことができる。また、図３のたとえば（ステップＳ１１）〜（ステップＳ１５）に示したように、ユーザは自分の顔でバーチャル試着の体験が可能なことから、従来の衣装事業者がモデルの顔で曖昧なイメージ広告をする紙面衣装カタログやオフイシャルＨＰに掲載されている衣装カタログ写真では得られない、等身大のイメージでもって、来店前に自分に似合う衣装の検討を行うことができる。
【００２３】
また、図４のたとえば（ステップＳ２２）〜（ステップＳ２４）に示したように、会員ユーザは店舗に対して試着予約の申込みを行うことができ、しかも図４のたとえば（ステップＳ２５）に示したように、会員ユーザは試着時のリクエスト内容と共に、自身の花嫁姿や衣装に対する、プライオリティやイメージを試着を希望する衣装のコーディネート画像でビジュアル的に店舗側に伝えることができる。その結果、従来のように、挙式者が複数の衣装事業者の店舗に出向き、担当者とのヒアリングや衣装の選別と試着とを行う必要がなく、衣装事業者の店舗に出向く前に、自分に似合う衣装や小物の検討を十分に行うことができる。
【００２４】
また、本実施の形態では、たとえば図４及び図５の（ステップＳ２５）、（ステップＳ５８）〜（ステップＳ６２）、（ステップＳ６５）に示したように、システム管理者及び衣装事業者が会員データの詳細と共に、ユーザの「試着予約申込み」のリクエスト内容の一覧から、個別参照することができ、さらにたとえば図４の（ステップＳ２５）に示したように、「あなたの試着予約情報」を閲覧することができることから、該当する申込み会員のプライオリティやイメージの把握が来店前から可能となる。
【００２５】
このように、来店前からの把握が可能となることで、電話やメールを手段とする申込み会員に対する積極的営業アプローチと囲い込みが可能となり、また来店前に会員データとリクエスト内容が全て把握できていることから、十分なセールス準備を整えて、来店時に会員を迎えることができる。さらには、来店時に、店舗端末を使用して、コーディネータがアドバイスを加えながら会員と共に在庫衣装のシミュレーションが可能であることから、実際の試着を効率的に進行させることができる。その結果、来店時のスムーズな接客進行と会員の負担軽減に貢献できるフォローアップ体制を図ることができる。
【００２６】
また、本実施の形態では、バーチャル試着のエンターティメント性を高いものとしているため、挙式予定がない女性も会員となって楽しんでもらえることが可能となり、バーチャル試着を行った全ての女性ユーザのデータ取得が可能となる。
また、たとえば図４及び図５の（ステップＳ３０）、（ステップＳ５３）に示したように、会員（マイページ）と非会員（ＳＷＦボタン）の双方共、閲覧できる広告ページの写真と広告テキスト、リンクＵＲＬを店舗側が随時、更新管理できるばかりか、店舗オフイシャルＨＰや、他のＨＰへの外部リンクも可能となる。また、たとえば図５の（ステップＳ５５）に示したように、会員データを属性別ターゲティングにより抽出し、有効会員に対してＤＭの発送リストを作成できる。
【００２７】
また、たとえば図５の（ステップＳ５６）、（ステップＳ５７）に示したように、会員データを属性別ターゲティングにより抽出し、有効会員に対してシステムからメルマガを店舗側が随時、作成／配信できる。この場合、メルマガから店舗オフイシャルＨＰや、他のＨＰへの外部リンクも可能であり、しかもＣＳＶデータのダウンロードも可能である。
また、たとえば図４の（ステップＳ１９）〜（ステップＳ３３）及び図５の（ステップＳ４９）に示したマイページやＣＬＯＳＥ  ＵＰにおいて、ヘッダー部分のたとえば右上の全てに店舗広告スペース（たとえば写真１／テキストリンク５行）を持たせることができ、その店舗広告は店舗側が随時、更新管理できるばかりか、店舗オフイシャルＨＰや、他のＨＰへの外部リンクも可能である。その結果、潜在顧客層（具体的挙式予定のない女性）への実質的販促プロモーションやテストマーケティングのシステムの構築が図れる。
【００２８】
なお、本実施の形態での衣装及び小物の試着支援システムによりバーチャル試着ができる衣装は、ウェディングドレスに限らず、メンズブライダル衣装、成人式衣装、七五三衣装、パーティーゲストドレス、シニア用和装関連、子供ブランド服、子供用玩具仮装キット衣装、女性／男性ファツション雑誌掲載衣装等であってよいし、小物は、アクセサリー、ドレス小物等であってもよい。また、衣装及び小物は、髪型とのコーディネートも可能である。
【００２９】
【発明の効果】
以上の如く本発明に係る衣装及び小物の試着支援システムによれば、ネットワークにより、Ｗｅｂサーバ、システム管理者端末、店舗端末、ユーザ端末を相互に接続し、Ｗｅｂサーバに衣装及び小物の試着をユーザの顔の画像を用いて支援するための店舗管理機能部、会員ユーザ管理機能部、一般ユーザ管理機能部を有する機能を搭載し、店舗管理機能部により、店舗の情報をデータベースに登録して管理し、会員ユーザ管理機能部により、会員ユーザの情報をデータベースに登録して管理し、一般ユーザ管理機能部により、一般ユーザの情報をデータベースに登録して管理することができるようにしたので、衣装事業者の店舗に出向く前に、自分に似合う衣装や小物の検討を十分に行うことができ、しかも非日常的な衣装や小物に対するバーチャル試着を行うことができ、併せて潜在顧客層（具体的挙式予定のない女性）への実質的販促プロモーションやテストマーケティングを実行することができる。
【図面の簡単な説明】
【図１】本発明の衣装及び小物の試着支援システムに一実施の形態を示す図である。
【図２】図１の衣装及び小物の試着支援システムの動作を説明するための図である。
【図３】図１の衣装及び小物の試着支援システムの動作を説明するための図である。
【図４】図１の衣装及び小物の試着支援システムの動作を説明するための図である。
【図５】図１の衣装及び小物の試着支援システムの動作を説明するための図である。
【符号の説明】
１０  Ｗｅｂサーバ
１１  データベース
２０  システム管理者端末
３０  Ａ店舗端末
４０  Ｂ店舗端末
５０  会員ユーザ端末
６０  一般ユーザ端末
７０  ネットワーク
１００  店舗管理機能部
２００  会員ユーザ管理機能部
３００  一般ユーザ管理機能部
【図１】
2004341957.tif 000003
【図２】
2004341957.tif 000004
【図３】
2004341957.tif 000005
【図４】
2004341957.tif 000006
【図５】
2004341957.tif 000007